【手続補正書】
【提出日】平成17年10月19日(2005.10.19)
【手続補正１】
【補正対象書類名】明細書
【補正対象項目名】特許請求の範囲
【補正方法】変更
【補正の内容】
【特許請求の範囲】
【請求項１】  第１の基地局を基準基地局に時間同期させる方法であって：
前記基準基地局から、前記基準基地局と通信中の移動局への送信と、前記移動局から前記基準基地局への返送との往復遅延時間間隔を測定する；
前記第１の基地局からの順方向リンク信号の受信時間と、前記基準基地局からの順方向リンク信号の受信時間との間の第１の時間差を前記移動局において測定する；
前記移動局からの逆方向リンク信号の受信時間と前記第１の基地局からの順方向リンク信号の送信時間との間の第２の時間差をスレーブ基地局において測定する；
前記測定された往復遅延時間間隔と前記第１の時間差と前記第２の時間差とに従ってタイミング補正値を計算する；
の工程を具備する前記方法。
【請求項２】  
スレーブ基地局を基準基地局と時間同期させるための方法、該方法は下記を具備する：
前記基準基地局から移動基地局へ及び前記移動基地局から逆に前記基準基地局へ送信された少なくとも１つの信号に関する往復遅延時間を測定する；
前記スレーブ基地局から送信された信号の前記移動局での受信時間と、前記基準基地局から送信された関連する信号の前記移動局での受信時間との間の第１の時間差を測定する；
前記移動局から送信された信号の前記スレーブ基地局での受信と、前記スレーブ基地局からの関連する信号の送信時間との間の第２の時間差を測定する；及び
前記測定された往復遅延時間、前記第１の時間差及び前記第２の時間差に従って、タイミング補正値を計算する。
【請求項３】
前記基準基地局と前記移動局間の送信を、前記スレーブ基地局と前記移動局へハンドオフするステップをさらに具備する、請求項２に記載の方法。
【請求項４】
ディジタル信号処理装置により実行可能な機械読み取り可能な命令を記録したディジタル信号蓄積媒体を備える製品アーティクル、ここにおいて、前記機械読み取り可能な命令はハードウエア装置の機能を管理することができる、そして前記機械読み取り可能な命令は下記の工程を具備する：
前記基準基地局から、前記基準基地局と通信中の移動基地局への及び逆に前記移動基地局から前記基準基地局への送信の往復遅延時間間隔を測定する；
前記スレーブ基地局からの順方向リンク信号の受信時間と、前記基準基地局からの順方向リンク信号の受信時間との間の第１の時間差を前記移動局で測定する；
前記移動局からの逆方向リンク信号の受信と、前記スレーブ基地局からの順方向リンク信号の送信時間との間の第２の時間差を前記スレーブ基地局で測定する；及び
前記測定された往復遅延時間間隔、前記第１の時間差及び前記第２の時間差に従って、タイミング補正値を計算する。
【請求項５】
もしも前記タイミング補正値が所定の値を超える時は、機械読み取り可能な命令は前記基準基地局のタイミングに一致させるように、前記スレーブ基地局のタイミングを調整することをさらに具備する、請求項４に記載の製品アーティクル。
【請求項６】
機械読み取り可能な命令は、もしも必要であれば、前記スレーブ基地局のタイミングが調整された後に、前記基準基地局と前記移動局との間の送信を、前記スレーブ基地局と前記移動局へハンドオフすることを含む、請求項５に記載の製品アーティクル。
【請求項７】
下記を具備する、基地局を通信システムに同期させるために使用される信号処理装置、
第１の基地局は、前記通信システムと信号同期している；
前記通信システムと信号同期している移動局；
前記通信システムと信号同期していない第２の基地局；
下記のディジタル命令を処理可能なディジタル処理手段
前記第１の基地局から前記移動局への送信に関する往復遅延間隔を測定する；
前記移動局が前記第２の基地局からの順方向リンク信号を受信する時間と、前記
移動局が前記第１の基地局からの順方向リンク信号を受信する時間との間の第１の
時間差を測定する；
前記第２の基地局が前記移動局からの逆方向リンク信号を受信する時間と、前記
第２の基地局から順方向リンク信号を送信する時間との間の第２の時間差を測定す
る；及び
前記測定された往復遅延間隔、前記第１の時間差及び前記第２の時間差に従っ
て、タイミング補正値を計算する。
【請求項８】
もしも、前記タイミング補正値が所定値を越える場合、前記基準基地局のタイミングに一致させるように前記スレーブ基地局のタイミングを調整する工程をさらに具備する、請求項２に記載の方法。
【請求項９】
タイミング調整の計算を行うために、以前の正常でない測定を無視し及び前記測定を繰り返し実施する工程を具備する、請求項８に記載の方法。
【請求項１０】
前記繰り返された測定の平均を使用してタイミング調整の計算を行う工程を備える、請求項９に記載の方法。
【請求項１１】
前記基準基地局から移動局へ送信された少なくとも１つの信号に関する前記往復遅延が前記基準基地局で測定される、請求項２に記載の方法。
【請求項１２】
下記工程を具備する、スレーブ基地局を基準基地局とタイミング同期するための方法：
前記移動局から前記基準基地局への送信及び前記基準基地局から移動局への少なくとも１つの送信に関する往復遅延を前記基準基地局で測定する；
前記移動局からの送信を前記スレーブ基地局で得る；
前記移動局が前記スレーブ基地局からの送信の受信を可能とするために、もしも必要ならば、前記スレーブ基地局の時間基準を調整する；
前記スレーブ基地局からの送信を前記移動局で得る；
前記移動局で前記スレーブ基地局からの送信を受信する時間と、前記移動局で前記基準基地局からの送信を受信する時間との間の第１の時間差を前記移動局で測定する；
前記第１の時間差を前記基準基地局と前記スレーブ基地局に通信する；
前記スレーブ基地局と前記移動局との間の少なくとも１つの送信に関する往復遅延を前記スレーブ基地局で測定する、前記往復遅延は、前記移動局からの送信が前記スレーブ基地局で受信される時間と、関連する送信が前記スレーブ基地局から前記移動局へ送信される時間とに対応する；及び
前記測定に従って前記スレーブ基地局に関するタイミング補正値を基地局コントローラで計算する。
【請求項１３】
もしも前記時間補正値が所定の値を超える場合、前記基準基地局のタイミングに調和させて前記スレーブ基地局のタイミングを調整する工程をさらに具備する、請求項１２に記載の方法。
【請求項１４】
ディジタル信号処理装置により実行可能な機械読み出し可能な命令を記録したディジタル信号蓄積媒体を具備する製品アーティクル、ここにおいて、前記機械読み出し可能な命令はハードウエアデバイスを管理することができる、及び前記機械読み出し可能な命令は下記の工程を具備する：
前記移動局から前記基準基地局への送信と前記基準基地局から移動局への少なくとも１つの送信に関する往復遅延を前記基準基地局で測定する；
前記移動局からの送信を前記スレーブ局で得る；
もしも必要ならば、前記移動局が前記スレーブ基地局からの送信を受信可能とするために、前記スレーブ基地局の時間基準を調整する；
前記スレーブ基地局からの送信を前記移動局で得る；
前記スレーブ基地局からの送信を前記移動局で受信する時間と、前記基準基地局からの送信を前記移動局で受信する時間との間の第１の時間差を前記移動局で測定する；
前記基準基地局と前記スレーブ基地局へ前記第１の時間差を通信する；
前記スレーブ基地局と前記移動局の間の少なくとも１つの送信に関する往復遅延を前記スレーブ基地局で測定する、前記往復遅延は、前記移動局からの前記スレーブ基地局で受信される送信の時間、及び関連する送信が前記スレーブ基地局から前記移動局へ送信される時間とに対応している；及び
前記測定に従って、前記スレーブ基地局に関するタイミング補正値を基地局コントローラで計算する。
【請求項１５】
前記機械読み取り可能な命令は、もしも前記時間補正値が所定値を超える場合、前記基準局のタイミングと調和して前記スレーブ基地局のタイミングを調整する工程をさらに具備する、請求項１４に記載のアーティクル。
【請求項１６】
下記を具備する、通信システムにおける基地局を同期化するために使用する装置：
前記通信システムに通信可能に結合され、及び前記通信システムと信号同期している少なくとも１つの移動局；  
前記通信システムに通信可能に結合され、及び前記通信システムに信号同期している第１の基地局、前記第１の基地局は、前記移動局から前記第１の基地局への通信及び前記第１の基地局から移動局への少なくとも１つの通信に関する往復遅延を測定するための第１の手段を有する；
前記移動局に通信可能に接続され、しかし前記通信システムには信号同期していない第２の基地局、前記第２の基地局は、前記第２の基地局と前記移動局との間の少なくとも１つの送信に関する往復遅延を測定するための第２の手段を有している、前記往復遅延は、前記移動局からの送信が前記第２の基地局で受信される時間と、前記第２の基地局から前記移動局への関連する送信が送信される時間とに対応している；
ここにおいて、前記移動局は前記第２の基地局からの送信が前記移動局で受信される時間と、前記第１の基地局からの送信が前記移動局で受信される時間との間の時間差を測定するための第３の手段を有している；
前記測定を使用して、第２の基地局の同期調整のタイミング補正値を計算するための手段；及び
もしも、前記時間補正値が所定の値を越える場合、前記第２の基地局の同期を調整して、前記第１の基地局の同期に調和させるための手段。
【請求項１７】
もしも前記時間補正値が所定の値を越える場合、前記第２の基地局の同期を調整して、前記通信システムの同期に調和させるための手段をさらに具備する、請求項７に記載の信号処理装置。
【請求項１８】
下記を具備する、請求項２に記載の方法：
前記タイミング補正値は前記スレーブ基地局と前記基準基地局との間のタイミング誤差
に一致し、前記タイミング誤差は（ＲＴＤ１＋ΔＴ−ＲＴＤ２）／２に等しい；
ここにおいて、ＲＴＤ１は、前記移動局から前記基準基地局への送信及び前記基準基地局から移動局への少なくとも１つの送信に関する往復遅延である；
ここにおいて、ΔＴは、前記スレーブ基地局からの送信が前記移動局で受信される時間と、前記基準基地局からの送信が前記移動局で受信される時間との間の時間差である；及び
ここにおいて、ＲＴＤ２は前記スレーブ基地局と前記移動局との間の少なくとも１つの送信に関する往復遅延であり、前記往復遅延は、前記移動局からの送信が前記スレーブ基地局で受信される時間、及び関連する送信が前記スレーブ基地局から前記移動局へ送信される時間に対応する。
【請求項１９】
下記を具備する、請求項４に記載の製品アーティクル：
前記タイミング補正値は前記スレーブ基地局と前記基準基地局との間のタイミング誤差に一致し、前記タイミング誤差は（ＲＴＤ１＋ΔＴ−ＲＴＤ２）／２に等しい；
ここにおいて、ＲＴＤ１は、前記移動局から前記基準基地局への送信及び前記基準基地局から移動局への少なくとも１つの送信に関する往復遅延である；
ここにおいて、ΔＴは、前記スレーブ基地局からの送信が前記移動局で受信される時間と、前記基準基地局からの送信が前記移動局で受信される時間との間の時間差である；及び
ここにおいて、ＲＴＤ２は前記スレーブ基地局と前記移動局との間の少なくとも１つの送信に関する往復遅延であり、前記往復遅延は、前記移動局からの送信が前記スレーブ基地局で受信される時間、及び関連する送信が前記スレーブ基地局から前記移動局へ送信される時間に対応する。
【請求項２０】
下記を具備する、請求項７に記載の信号処理装置：
前記タイミング補正値は、前記第２の基地局と前記第１の基地局との間のタイミング誤差に一致し、前記タイミング誤差は（ＲＴＤ１＋ΔＴ−ＲＴＤ２）／２に等しい；
ここにおいて、ＲＴＤ１は、前記移動局から前記第１の基地局への送信及び前記第１の基地局から移動局への少なくとも１つの送信に関する往復遅延である；
ここにおいて、ΔＴは、前記第１の基地局からの送信が前記移動局で受信される時間と、
前記第２の基地局からの送信が前記移動局で受信される時間との間の時間差である；及び
ここにおいて、ＲＴＤ２は前記第２の基地局と前記移動局との間の少なくとも１つの送信に関する往復遅延であり、前記往復遅延は、前記移動局からの送信が前記第２の基地局で受信される時間、及び関連する送信が前記第２の基地局から前記移動局へ送信される時間に対応する。
【請求項２１】
下記を具備する、請求項１２に記載の方法：
前記タイミング補正値は、前記スレーブ基地局と前記基準基地局との間のタイミング誤差に一致し、前記タイミング誤差は（ＲＴＤ１＋ΔＴ−ＲＴＤ２）／２に等しい；
ここにおいて、ＲＴＤ１は、前記移動局から前記基準基地局への送信及び前記基準基地局から移動局への少なくとも１つの送信に関する往復遅延である；
ここにおいて、ΔＴは、前記スレーブ基地局からの送信が前記移動局で受信される時間と、前記基準基地局からの送信が前記移動局で受信される時間との間の時間差である；及び
ここにおいて、ＲＴＤ２は前記スレーブ基地局と前記移動局との間の少なくとも１つの送信に関する往復遅延であり、前記往復遅延は、前記移動局からの送信が前記スレーブ基地局で受信される時間、及び関連する送信が前記スレーブ基地局から前記移動局へ送信される時間に対応する。
【請求項２２】
下記を具備する、請求項１６に記載の信号処理装置：
前記タイミング補正値は、前記第２の基地局と前記第１の基地局との間のタイミング誤差に一致し、前記タイミング誤差は（ＲＴＤ１＋ΔＴ−ＲＴＤ２）／２に等しい；
ここにおいて、ＲＴＤ１は、前記移動局から前記第１の基地局への送信及び前記第１の基地局から移動局への少なくとも１つの送信に関する往復遅延である；
ここにおいて、ΔＴは、前記第１の基地局からの送信が前記移動局で受信される時間と、
前記第２の基地局からの送信が前記移動局で受信される時間との間の時間差である；及び
ここにおいて、ＲＴＤ２は前記第２の基地局と前記移動局との間の少なくとも１つの送信に関する往復遅延であり、前記往復遅延は、前記移動局からの送信が前記第２の基地局で受信される時間、及び関連する送信が前記第２の基地局から前記移動局へ送信される時間に対応する。